(57)【特許請求の範囲】
【請求項１】
ホルダーベースの２次側通孔と２次側ホルダーフランジ部のフランジ穴とを合わせて雄螺子杆を挿通してナットにより締め付け固定し、２次側ホルダーの端面に形成された収嵌スペースに逆止弁カートリッジを収嵌した後、逆止弁押さえの内周部雌螺子と前記収嵌スペースの外殻部外周の雄螺子を螺合して覆蓋し、ナットから突出した雄螺子杆の先端にボルトアダプタの基部を螺合して収嵌スペース外殻部外周にボルトアダプタを植設し、その先端をそれぞれ対応するメータ器２次側フランジ体のフランジ穴に挿嵌し、１次側ホルダーの締着筒を前進させてメータ器の１次側端を押して２次側端を２次側ホルダーの逆止弁押さえの端面に圧接させることを特徴とする水道用メータホルダーにおける逆止弁の装嵌構造
【発明の詳細な説明】
【技術分野】
【０００１】
本発明は、呼び径が５０以上の水道メータの両端を着脱可能に支持して配管部に連結する水道用メータホルダーにおいて逆止弁を設定する場合における逆止弁の装嵌構造に関するものである。
【背景技術】
【０００２】
従来、呼び径が５０以上になると水道用メータホルダーからメータ器を取り外す際に多くの戻り水が出てくるのを避けるため、メータ器の２次側に逆止弁又は仕切弁を取り付けてきているが、配管の上部から着脱する形式の逆止弁では、メータボックス内に逆止弁と仕切弁の両方を嵌入するスペースがないので、逆止弁を配管の軸方向に取り外す構造を採ってきている。
【先行技術文献】
【特許文献】
【０００３】
配管の軸方向に着脱する形式の具体的な構造として例えば特許文献１に記載のように、メータ器端部と配管流路の端部にフランジ体を設け、フランジ穴にボルトを通してのフランジ体のボルト締めによってメータ器端部と配管流路の接合が行われている。
【特許文献１】特開２００５−６０９６３号公報
【発明の概要】
【発明が解決しようとする課題】
【０００４】
即ち、メータホルダーの逆止弁を配管の軸方向に着脱するために、メータ器端部のフランジ体と逆止弁外殻体とを  即ち、メータホルダーの逆止弁を配管の軸方向に着脱するために、メータ器端部のフランジ体と逆止弁外殻体とを締着ボルトによって接合すると、図５に示すように２次側嵌着面２ｂとメータ器端部のフランジ体５とが密着して、配管の軸上に取り外す逆止弁を押さえる部品をパイプレンチ等の工具で螺子を緩めて外す場合に、図４に示すように両フランジ穴に通るボルトＤの頭等の突起が工具の回動範囲に干渉して工具を使うことができなくなり、逆止弁の着脱、交換ができない問題がある。
【課題を解決するための手段】
【０００５】
本発明は上記した課題に対応しようとするものであり、２次側ホルダーの端面に形成されたスペースに逆止弁カートリッジを収嵌し、該収嵌スペースの外殻周に複数のボルトアダプタを着脱可能に植設すると共に、その先端を、被支持メータの２次側端部フランジ体に前記ボルトアダプタの植設位置に対応して設定された嵌合孔に嵌入して前記フランジ体と２次側ホルダーの端面とを接合してメータホルダーに逆止弁を装嵌するようにした。
【０００６】
このように構成することにより、ボルトアダプタの基部と収嵌スペースの外殻周に設定した植設螺子との螺合を外すだけで、被支持メータの２次側端部フランジ体のフランジ穴に嵌入しているボルトアダプタの先端を抜き出すことができ、逆止弁収嵌スペースを覆蓋して逆止弁カートリッジを固定する逆止弁押さえを取り外すことができる。
【発明の効果】
【０００７】
上記のように、メータ器のフランジ体に逆止弁外殻体の外周を直接ボルト締めすることなく、ボルトアダプタの先端をフランジ穴にフリー状態で嵌入し、メータホルダーの逆止弁を配管の軸方向に着脱するようにしたので、逆止弁の着脱交換を迅速に行うことがでると共に、呼び径が５０以上の水道メータホルダーにおける逆止弁、仕切弁の設定にも対応できる効果がある。
また、本発明のボルトアダプタは逆止弁装嵌スペースの造成以外にも、面間距離が短いために装嵌が困難な場合に、機器の装嵌スペースの造成に応用可能なものである。
【図面の簡単な説明】
【０００８】
【図１】本発明の実施例を示すもので、仕切弁を設定した２次側ホルダー端面のカートリッジ収嵌スペースと逆止弁カートリッジ、逆止弁押さえ、ボルトアダプタの関係を示す２次側メータホルダー構造部の分解縦断面側面正面図
【図２】同じく、２次側メータホルダー部に逆止弁カートリッジを収嵌し、ボルトアダプタを着合した状態を示す２次側メータホルダー構造部の縦断面側面正面図
【図３】同じく、メータボックス内にメータホルダーを格納してメータ器を着装した状態におけるホルダー部の状况を示す、要部を縦断面としたメータボックスとメータ器及びメータホルダーの全体側面図
【図４】同じく、従来例におけるメータ器フランジ体のボルト締め接合部において、ボルトの頭等の突起が工具の回動範囲に干渉する状况を示す、フランジ体の軸方向からの正面図
【図５】同じく、従来例におけるメータ器フランジ体とメータホルダー端部仕切弁との締着状况を示す２次側メータホルダー構造部の縦断面側面図
【発明を実施するための形態】
【０００９】
以下、図面を参照して本発明の実施の形態について詳細に説明すると、１はメータホルダーの本体で、両側に対峙する１次側ホルダー１ａと２次側ホルダー１ｂの一対から成り、それぞれ、内側端面にはメータ器Ａの端部に着合する嵌着部２ａ、２ｂが設けられると共に、１次側の嵌着部２ａにはメータ器Ａの端部着合端に対して前進後退の作動をする締着筒Ｂが嵌装され、締着筒Ｂの前進により１次側ホルダー１ａが締付けホルダー、２次側ホルダー１ｂが受けホルダー、として水道メータ器Ａの両端に圧着してメータ器Ａをメータホルダー１の中軸レベルに支持するようになっている。
【００１０】
２次側ホルダー１ｂの嵌着部２ｂの端面には、逆止弁カートリッジ３を収嵌する収嵌スペース３１が形成され、その外殻部３２の基部にホルダーベース１１に着合するフランジ部３３が形成され、更に、仕切弁Ｃの外殻３４と２次側配管Ｄとの接合構造部１２が構成される。
【００１１】
ホルダーベース１１とホルダーフランジ部３３との着合は、フランジ部３３のフランジ穴３５とホルダーベース１１に穿設された通孔を挿通する雄螺子杆３６とナット３７の締め付けによって行われ、ナット３７から突出する雄螺子杆３６の先端部にボルトアダプタ４の基部に穿設された雌螺子孔４１が螺合されてボルトアダプタ４が植設される。
【００１２】
メータ器Ａの２次側端部には、フランジ体５が設定されており、ホルダーフランジ部３３に設けられたフランジ穴３５と対応する位置にフランジ穴５１が開口している。収嵌スペース３１に逆止弁カートリッジ３を嵌入した後、逆止弁押さえ６の内周部雌螺子と収嵌スペース３１の外殻部３２外周の雄螺子を螺合して覆蓋する。
【００１３】
ナット３７から突出した雄螺子杆３６の先端にボルトアダプタ４の基部を螺合して収嵌スペース３１外殻の外周にボルトアダプタ４を植設し、その先端をそれぞれ対応するメータ器フランジ体のフランジ穴５１に挿嵌すると共に、１次側ホルダー１ａの締着筒Ｂを前進させてメータ器Ａの１次側端を押して２次側端を２次側ホルダー１ｂの嵌着部２ｂの端面に圧接させる。
【００１４】
ボルトアダプタ４の先端は、それぞれ対応するメータ器フランジ体のフランジ穴５１にフリー状態で挿嵌されているので、メータ器Ａのフランジ体５が嵌着部２ｂの端面となっている逆止弁押さえ６を押圧して、逆止弁カートリッジ３を収嵌する収嵌スペース３１内に安定的に固定するものである。
【００１５】
逆止弁押さえ６にはメータ器Ａの２次側通水路と接合する通孔６１が開口し、その２次側端部には逆止弁カートリッジ３の弁座部３８と弁体３９の部分が嵌入する嵌合部６２となっている。従って、１次側からの通水はメータ器Ａを通過して通孔６１から閉鎖方向に付勢された弁体３９を押して、仕切弁Ｃの水路を通り、２次側配管１３に通水する。
【００１６】
逆止弁カートリッジを取り外す場合には、１次側仕切弁Ｃにより水流を止め、２次側仕切弁Ｃにより戻り水の水路を閉止してから、１次側ホルダー１ａの締着筒Ｂを操作ハンドル４２により後退させてメータ器Ａを取り外し、更に、回動に制約のないボルトアダプタ４と雄螺子杆３６の螺合を解けば、ボルトアダプタ４を容易に除去することができる。
【００１７】
ボルトアダプタ４を除去すれば、逆止弁押さえ６は、収嵌スペース３１の外殻部３２外周の雄螺子を螺合してあるだけなので容易に解離することができ、収嵌スペース内の逆止弁カートリッジ或いは逆止弁機構を簡単に取り出すことができ、修理、交換を行える。
【産業上の利用可能性】
【００１８】
本発明に係る水道用メータホルダーにおける逆止弁の装嵌構造は、メータボックス内に逆止弁と仕切弁の両方を嵌入するスペースがない場合、特に、呼び径が５０以上の水道メータのホルダーに逆止弁を設定しようとする場合に、逆止弁を配管の軸方向に取り外す構造を採ることを可能にしたので、水道施設産業上に高度の利用価値を有するものである。
【符号の説明】
【００１９】
１      メータホルダー本体
１ａ    １次側ホルダー
１ｂ    ２次側ホルダー
１１    ホルダーベース
１２    ２次側配管との接合構造部
１３    ２次側の連結配管
２ａ    １次側メータ端部嵌着部
２ｂ    ２次側メータ端部嵌着部
３      逆止弁カートリッジ
３１    収嵌スペース
３２    収嵌スペースの外殻部
３３    ホルダーフランジ部
３４    仕切弁の外殻
３５    ホルダーフランジ部のフランジ穴
３６    雄螺子杆
３７    雄螺子杆ナット
３８    カートリッジの弁座部
３９    逆止弁体
４      ボルトアダプタ
４１    ボルトアダプタ基部の雌螺子孔
４２    締着筒進退操作ハンドル
５      メータ器のフランジ体
５１    メータ器フランジ体のフランジ穴
６      逆止弁押さえ
６１    逆止弁押さえの通孔
６２    逆止弁押さえの逆止弁嵌合部
６３    収嵌スペースの外殻外周に螺合する逆止弁押さえの雌螺子
Ａ      水道用メータ器
Ｂ      １次側締め付けホルダーの締着筒
Ｃ      仕切弁
Ｄ      メータ器締着ボルト
Ｐ      メータボックス                                                  
【図１】
0005535830.tif 000002
【図２】
0005535830.tif 000003
【図３】
0005535830.tif 000004
【図４】
0005535830.tif 000005
【図５】
0005535830.tif 000006